(57)【特許請求の範囲】
【請求項１】
ひだ折りされた濾材部と、
前記濾材部の外周のうち、少なくとも前記濾材部のひだ折り方向に沿った側面に貼り付けられた補強材と、を具備し、
前記補強材は、前記補強材の一部に切込線により所定の幅に区画される切欠部が設けられ、
前記切欠部は、前記切込線に沿って前記濾材部の外周上に折り曲げ可能であり、且つ、前記濾材部の外周上に折り曲げた状態において取っ手を形成することを特徴とするフィルタ。
【請求項２】
前記濾材部と前記補強材とが同一の材質にて構成されていることを特徴とする請求項１に記載のフィルタ。
【請求項３】
前記補強材自体がシール性を備えていることを特徴とする請求項１又は２のいずれかに記載のフィルタ。
【請求項４】
前記濾材部のひだ折り方向に沿った側面に貼り付けられた補強材の一部に切込みが設けられていることを特徴とする請求項１〜３のいずれかに記載のフィルタ。
【発明の詳細な説明】
【０００１】
【発明の属する技術分野】
本発明は、自動車やオフィス、病院、家庭等の室内に取付けられた空調装置に使用されるフィルタに関する。
【０００２】
【従来の技術】
空調装置に使用されるフィルタとして図４に示すものがある。このフィルタ１９は、枠部１９ａと、ひだ折りされた濾材部１９ｂとを備えている。枠部１９ａは樹脂製のフレーム２０を含み、濾材部１９ｂはそのフレーム２０の内部に取付けられる。フレーム２０の側面には、フィルタ１９が装着されるダクト又は空調回路からの防振やダクト等との間の隙間を埋める目的でウレタン等の弾性体４が設けられる。フレーム２０の端面にはダクト等からフィルタ１９を外すために突起（取っ手）２０ａが設けられている。
【０００３】
【発明が解決しようとする課題】
しかし、従来のフィルタは、濾材部とフレームとがそれぞれ別部品として構成されているので部品点数が多くなるとともに組付け工数も多くなる。また、フレームは樹脂成形品である為、金型が必要となる等、コストが増す。しかし、フレームを廃止して濾材部のみでフィルタを構成した場合にはフィルタの剛性が不足し、空調装置内で所定の形状を維持できないおそれがあるとともに、その着脱にも支障を来すおそれがある。
【０００４】
そこで、本発明は、樹脂製のフレームを使用しなくても濾材部を十分に補強でき、樹脂製のフレームの製造や組み付けに必要な工数を削減してコストダウンを図ることが可能なフィルタを提供することを目的とする。
【０００５】
【課題を解決するための手段】
以下、本発明について説明する。なお、本発明の理解を容易にするために添付図面の参照符号を括弧書きにて付記するが、それにより本発明が図示の形態に限定されるものではない。
【０００６】
本発明のフィルタ（１ｆ）は、ひだ折りされた濾材部（２）と、前記濾材部の外周のうち、少なくとも前記濾材部のひだ折り方向に沿った側面に貼り付けられた補強材（１６）と、を具備し、前記補強材は、前記補強材の一部に切込線（１８ａ、１８ａ）により所定の幅に区画される切欠部（１８）が設けられ、前記切欠部は、前記切込線に沿って前記濾材部の外周上に折り曲げ可能であり、且つ、前記濾材部の外周上に折り曲げた状態において取っ手（１７）を形成することを特徴とする。
【０００９】
このようにすれば、濾材部の外周を補強材で覆い、その補強材の一部に切欠部を設けるだけで、その切欠部を取っ手として利用できるので、フィルタを製作するための必要な工数を減らすことができるため、コストダウンが図れる。また、取っ手として機能する切欠部の取っ手を切込線に沿って折り曲げ、引き起こすことにより、フィルタを空気調和装置のダクト等から容易に引き出すことができる。また、取っ手は補強材の一部分であるので、折り曲げた後は元に戻せば、邪魔にならない。
【００１０】
前記濾材部と前記補強材とは同一の材質にて構成されてもよい。
【００１１】
この発明によれば、フィルタを濾材部と補強材とを同一の材質で構成することにより、リサイクル品として再生する場合において、フィルタを構成する部品を分別する必要がなくなる為、利用し易くなる。
【００１２】
前記補強材自体がシール性を備えていてもよい。
【００１３】
この発明によれば、ウレタン、不織布等のように、補強材自体にシール性をもつ材質を使用することにより、フィルタを構成する部品を簡略化することができる。
【００１４】
また、前記ひだ折り方向に沿った側面に貼り付けられた補強材の一部に切込み（２１）を設けてもよい。
【００１５】
この発明によれば、フィルタを折り曲げる等変形させることができるので、フィルタを、ダクト等のフィルタ装着形状に合わせて、柔軟に対応させ、装着できる。
【００１６】
【発明の実施の形態】
以下、本発明であるフィルタに係る実施の形態について詳細に説明する。図１は本発明の第１の実施形態に係るフィルタに含まれる濾材部の斜視図である。
【００１７】
図示のように、濾材部２は、矩形状であり、濾紙、不織布等の濾材２ａを一方向に沿って繰り返しひだ折りして形成されている。また、濾材部２のひだ折りされた方向に対して直交する側面２ｂ、２ｂには、濾材２ａに形成されたピッチＰを保つために補強材が貼り付けられる。また、補強材の表面にはシール材を設けても良い。
【００１８】
補強材はテープ状であり、その素材にはポリエチレン、ポリプロピレン等の合成樹脂又は濾材部２の濾材２ａと同一の材質が好適に使用される。また、補強材は、折り畳み可能な柔軟性のある材質であれば良い。例えば、テープ、ウレタン、不織布等である。補強材と濾材部２との接合には、例えばホットメルト等の接着剤が好適に用いられる。
【００１９】
上記に示すようにフィルタは、矩形状の濾材部２と、その濾材部２のひだ折りされた方向に対して直交する側面２ｂ、２ｂに設けられた補強材と、それらの補強材の表面に設けられたシール材と、を備えている。
【００２０】
また、濾材部の各側面２ｂに設けられた補強材の一端には、濾材部２のひだ折り方向に関する端面２ｃを越えて突出する取っ手３ａが形成される。この取っ手３ａは端面上に折り畳まれる。
【００２１】
また、取っ手３ａは、取っ手同士を互いに繋ぎ合わせて両者の端面からの浮き上がりを防止している。
【００２２】
図２に折り畳まれた取っ手の先端を互いに繋ぎ合わせる実施形態を示す。
【００２３】
図２（ａ）の実施形態では、一方の取っ手３ａの先端にきのこ状の突子部１０を設け、もう一方の取っ手３ａにはかぎ穴状の切欠１１を設けている。この実施形態によれば、突子部１０を切欠１１に挿入することにより取っ手３ａ、３ａの先端同士を互いに繋ぎ合わせている。
【００２４】
図２（ｂ）の実施形態では、各取っ手３ａの先端部をそれぞれＬ字形状に形成し、両者の凸部１２、１３を相手方の切り込み１２ａ、１３ａに差し込んで両方の取っ手３ａ、３ａを互いに繋ぎ合わせている。
【００２５】
図２（ｃ）の実施形態では、各取っ手の互いの先端部を幅方向（図の上下方向）に関して二等分する切り込み線ＰＬに沿ってそれぞれ二つの領域１４ａ、１４ｂ、１５ａ、１５ｂに分割している。これらの切り込み線ＰＬによって分割された一方の領域、すなわち、図２（ｃ）の左側の取っ手３ａにおいては切り込み線ＰＬの上側の領域１４ｂ、右側の取っ手３ａにおいては切り込み線ＰＬの下側の領域１５ｂにはそれぞれ切り込み線ＰＬと直交するようにして切り込み１４ｃ、１５ｃをそれぞれ設けている。そして、各取っ手３ａの切り込み線ＰＬによって分割された他方の領域１４ａ、１５ａをそれぞれ相手側の取っ手３ａの切り込み１４ｃ、１５ｃに差し込んで両方の取っ手３ａ、３ａを互いに繋ぎ合わせている。
【００２６】
なお、図２（ｂ）又は（ｃ）のハッチング領域は取っ手３ａ、３ａが互いに重ね合わされている範囲を示している。
【００２７】
以上のように構成されたフィルタ１は、取っ手として機能する繋ぎ目の側と反対側の濾材部２の端面を先頭にして空気調和装置のダクト又は空調回路内に挿入される。そして、フィルタ１がダクト又は空調回路内の所定位置に装着されると、取っ手３ａが濾材部２の端面２ｃ上に折り畳まれてダクト等のフィルタ取付口が閉じられる。フィルタ１を取り外す際には取っ手３ａとして機能する突子部１０、凸部１２、１３、領域１４ａ、１５ａを引き起こし、この取っ手３ａを引っ張ることでフィルタ１をダクト等から容易に取り出すことができる。
【００２８】
図３は本発明の第２の実施形態に係るフィルタの全体構成を示している。図３（ａ）はフィルタの平面図、図３（ｂ）はフィルタの正面図、図３（ｃ）はフィルタの左側面図である。なお、図３において、図１と共通する部分には同一符号を付し、それらの説明は省略する。
【００２９】
図３のフィルタ１ｆにおいては、補強材１６が、濾材部２の外周を一周するように設けられる。補強材１６はウレタン、不織布等の柔軟性のある材質が好適に使用される。また、補強材１６の素材は、濾材部２の濾材と同一の材質であれば尚良い。補強材１６と濾材部２との接合には、例えばホットメルト等の接着剤が好適に用いられる。また、本実施形態のように、補強材１６がウレタン又は不織布等のようにその材質そのものにシール性がある場合は、第１の実施形態のようなシール材４は必要ない。
【００３０】
濾材部２の外周に設けられた補強材１６のうち、ひだ折りされた方向の一方の端面２ｃ側に設けられた補強材１６の一部分には、矩形状の切欠部１８を設ける。切欠部１８は、切込線１８ａ、１８ａにより所定の幅に区画される。切込線１８ａ、１８ａにより区画された部分を取っ手１７とする。この取っ手１７は、切込線１８ａ、１８ａに沿って、濾材部２の外周上に折り曲げ可能である。この取っ手１７は、フィルタ１ｆをダクト等から取り外す際に折り曲げて使用される。
【００３１】
また、濾材部２の外周に設けられた補強材１６のうち、ひだ折りされた方向の両側面に設けられた補強材の中央部にこの補強材を分断するように、所定深さの切込み２１、２１を設けてもよい。この切込み２１、２１を設けることによりフィルタ１ｆを折り曲げることが可能となる。
【００３２】
本発明は以上の実施形態に限定されることなく、種々の形態にて実施してよい。補強材を設ける範囲は適宜変更できる。
【００３３】
【発明の効果】
以上に説明したように、本発明によれば、樹脂製のフレームに代えてテープ状の補強材を貼り付けるようにしたので、濾材部を十分に補強しつつフレームの製造や組み付けに必要な工数を削減してコストダウンを図ることができる。濾材部の端面上に折り畳まれた補強材の取っ手を引き起こすことによりフィルタを容易に引き出すことができる。また、補強材に備えられた取っ手を濾材部の端面上に折り畳んでいるので、濾材部のひだ上に補強材が覆い被さることがなく、フィルタが装置内に収容された状態で折り畳み部分を簡単に引き起こすことができる。補強材の折り畳み部分の長さも十分に確保できる。
【図面の簡単な説明】
【図１】本発明の第１の実施形態に係るフィルタに含まれる濾材部の斜視図。
【図２】折り畳まれた補強材の先端を互いに繋ぎ合わせる実施形態を示す図。
【図３】本発明の第２の実施形態に係るフィルタの全体構成図。
【図４】本発明の比較対象としてのフィルタの一例を示す図。
【符号の説明】
１ｆ  フィルタ
２  濾材部
１６  補強材
３ａ、１７  取っ手
１８  切欠部
２１  切込み
【図１】
0004240447.tif 000002
【図２】
0004240447.tif 000003
【図３】
0004240447.tif 000004
【図４】
0004240447.tif 000005